(57)【要約】  【課題】比較的簡単な材料を使うことで、庭等の景観をなるべく損ねることなく、低コストで、色々な形態の場所に対応できる、猫の糞尿を防ぐ装置を提供する。  【解決手段】対象となる砂利敷きや砂地の最表面またはその直下に、網目状の障害物、例えば金網、プラスチック製の網目シート等を設置してやる。猫は、その網目状の障害物に邪魔をされて、砂利敷きや砂地を掘ったり、掻き集めるという行為が出来なくなるために、結果その場所での排泄行為を避けるようになる。【選択図】  図１
2005080568.tif 000002
【特許請求の範囲】
【請求項１】
砂利、砂地または地面の最表面、又は最表面を残してその直下に、網目状のシートを設置することを特徴とする、猫の糞尿防止装置。
【請求項２】
請求項１において、網目状のシートをその設置場所の形状に合わせ設けた枠に固定することを特徴とする、猫の糞尿防止装置。
【発明の詳細な説明】
【技術分野】
【０００１】
本発明は、砂利敷きまたは土の庭、砂場等を猫の糞尿から守る仕組みに関する。
【背景技術】
【０００２】
砂場に野良猫が糞尿をして、それに含まれる細菌が使用者に悪影響を与える被害はよく知られている。この野良猫の糞尿の被害の範囲は、砂場だけにとどまらず、一般家庭の、土または細かい砂利を敷いた庭や、庭にある鉢、花壇の土などにも及んでいる。猫によって、庭の砂利や花壇の土を掘り下げられたりされ、又糞尿からの悪臭も問題になっている。
【０００３】
公園や施設の砂場の場合には、使用しないときに全体に袋状のシートをかぶせることで猫の糞尿から守ることが考えられている。しかし、実際の家庭の庭や花壇においては、露出した砂、土、砂利にそのようなシートをかぶせることは、本来の庭や花壇自体の役割や、その外観や景観上の面から考えると難しい。又、シートの上に雨水が溜まったり、風で飛ばされてしまう恐れもある。
【０００４】
一般の庭や花壇などの場合は、猫の嫌う薬剤を撒いたりする事が知られているが、あまり効果が無い事や、雨風に流されてしまったり、時間が経つと薬剤の効果が切れてしまうという問題がある。
【０００５】
また、猫の嫌う特殊な超音波を発する装置を設置することも知られているが、これも設置場所や設置方法に手間をとられたり、装置の給電手段を用意しなければならない。
【０００６】
他の、猫の糞尿を防ぐ従来技術としては、特開平７−１６３２８７や特開平１０−２７６６５４、特開平１１−１８６６７等がある。特開平７−１６３２８７は、網目の柵によって砂場自身を覆う仕組みであり、特開平１０−２７６６５４は砂場を覆うための装置に付いての提案で、特に、特開平１１−１８６６７は砂場を覆うための材料として、網目状のシートを使っている。この網目シートは猫がその上での歩行を嫌う性質のものであるとされている。
【発明の開示】
【発明が解決しようとする課題】
【０００７】
これらの特許提案は、砂場を、猫が入ってこなくなるように覆うためのアイデアであり、適応される場所が砂場や花壇といった定形状の場所であることや、装置の大きさが大規模になったり、大掛かりな付属装置の設置が必要になったりして、コストや汎用性に問題がある。
【０００８】
本発明は、比較的簡単な材料を使うことで、庭等の景観をなるべく損ねることなく、低コストで、色々な形態の場所に対応できる、猫の糞尿を防ぐ装置を提供することを目的とする。
【課題を解決するための手段】
【０００９】
猫は、自分の排泄した糞尿を自分で砂利や砂の中に覆い隠す習性を持っている。このような行為をしやすい場所が、人工的に整形された小さな砂利ややわらかい砂のある場所、花壇や鉢に使用される園芸土の上等であり、猫はそのような場所に糞尿を好んでする。糞尿を行った場所では、土や砂利が掘り返されていたり、周りの砂や砂利をかき集めて糞尿を覆った跡が見受けられる。
【００１０】
よって、猫に糞尿をさせないようにするためには、砂利や砂を掘ったり、糞尿の上に覆わせるだけの砂利や砂を集める行為自体を出来ないようにしてやればいい。それによって、猫はその場所が糞尿をし難い場所だと認識し、排泄行為をしなくなる。
【００１１】
以上のことを実現するためには、対象となる砂利敷きや砂地の最表面またはその直下に、網目状の障害物、例えば金網、プラスチック製の網目シート等を設置してやればよい。猫は、その網目状の障害物に邪魔をされて、砂利敷きや砂地を掘ったり、掻き集めるという行為が出来なくなるために、結果その場所での排泄行為を避けるようになる。
【発明の効果】
【００１２】
本発明による、猫の糞尿防止装置は、その材料としての網目シート等は市販のものを手に入れることが出来、又、特殊な付属装置などを必要とせずに作成することが出来る。網目シートは設置対象の表面に設置、または最表面層に埋めることで、その対象と一体化してしまうので、その上での歩行の障害にならない。網目シートの網の太さを出来るだけ細くしたり、周りの色に合わせたりすれば、景観的にも受け入れやすくなる。
【００１３】
又、庭や花壇等に設置する場合においては、恒常的に設置しておくことが出来る。雨や風といった自然現象に対しても基本的には影響がない。砂場で使用するような場合には、砂場を使用する前に、設置しておいた装置を取り外せばよい。
【発明の実施するための最良の形態】
【００１４】
対象となる砂利敷きや砂地の最表面またはその直下に、網目状の障害物、例えば金網、プラスチック製の網目シート等を設置してやる。猫は、その網目状の障害物に邪魔をされて、砂利敷きや砂地を掘ったり、掻き集めるという行為が出来なくなるために、結果その場所での排泄行為を避けるようになる。
【実施例１】
【００１５】
図１は、本発明による、猫の糞尿防止装置の断面図を示している。砂利や土２１の上に、網の目を持ったシート１が設置されている。網目シート１の上、または網目の間には２１と同様の材料である砂利や土の層がある（２）。２の層は、出来るだけ薄いことが望ましく、砂利の場合は、その粒一層程度となっている。
【００１６】
猫が、このような場所に来て糞尿をしようとした場合、砂利や砂を掻き集めようとしても、設置された網目シートによって邪魔をされて、砂利や砂を集めることが出来なくなる。よって、結果としてそこでは糞尿をしなくなるのである。
【００１７】
網目シート１の上の砂利や砂の層２の厚さは、出来るだけ薄いほうが望ましい。これは、網のシートの上に十分な砂利や砂があると、猫はそれらを掻き集めて糞尿を隠すことが出来るために排泄行為を行ってしまうからである。たとえば砂利敷きの庭であれば、砂利の粒一層分程度の厚さになる。
【００１８】
景観等を気にしなくていいのであれば、網目シートそのものを表面に敷いて、上部の砂利や砂の層２を設けなくてもかまわない。
【００１９】
猫が砂利や砂を掻き集める行為を行う際に、網目シートに力が加わり、シート自体の剛性から、シート面自身が浮き上がり、表面の砂利や砂が編み目の中へ落ちこむことになるので、猫はさらに砂利や土を集めにくくなる。
【００２０】
網目シート１の網目の大きさは、砂利や砂の粒の大きさよりも大きいほうが望ましい。これは、網目をある程度砂や砂利の中に埋め込むことが出来るようにするためである。例えば、５ｍｍ−１０ｍｍ角程度までの網目の大きさを持った砂利が、猫が掻き集めるのには適当な大きさであるが、そこに設置する網目シートの目の大きさとしては、２０ｍｍ角程度のものがいい。
【００２１】
網目の大きさは、それが猫の手先が砂利や砂を掻くことを防ぐという特徴から、猫の手の大きさ程度までのサイズが望ましい。そこから網目のサイズがかけ離れていると適当ではない。例えば、網目の大きさが１００ｍｍ角程度とかになると、猫は、網目の間から砂利や土を容易に掻き出せてしまうので、有効ではなくなる。
【００２２】
網目シートの材料は、金属線を組み合わせた金網や、成型されたプラスチックなどが望ましい。猫が網目を引っ掻いても切断されたり、極度に変形したりしない程度の強度を持っているのものがいい。それらを、設置する砂利敷きや、花壇、砂場の形状に合わせて切断、成形、加工して設置すればいい。
【００２３】
猫がその網目自身を自分で取り除いてしまう可能性があるので、網目のシートはある程度の範囲の大きさを持っているか、土や砂利の中に多少埋められているか、または表面で固定されている方がいい。
【００２４】
好ましくは、網目シートの網の太さは細く、例えば１ｍｍ径以下のほうが、人の目には視認しにくくなり、景観上望ましい。
【００２５】
好ましくは、網目シートの材質は、下地もしくは覆われている砂利や砂の色と同等の色に着色されている方が、保護色となって、周りの色と溶け込んで視認しにくくなる。
【実施例２】
【００２６】
図２は、設置する網目シートの端面部の一例である。シートの端部に沿って、剛性を持った金属やプラスチックの細い枠１５を構成して、それに網目１１の端を固定する。これによって、設置した場合の網目シート面のそりや、端部での浮き上がりを防ぐことが出来る。
【実施例３】
【００２７】
図３は、下地が土の場合の、網目シートの固定方法の一例を示す。網目シート１２の端部や、固定に適当な場所に、杭状の固定手段５１を差し込む事で、網目シートを地面に固定する。固定手段は、重石等を網目シートの端部に置く形でも構わない。
【実施例４】
【００２８】
図４は、本発明を、不定形状をした庭の砂利敷きに設置した場合の図面である。図において、２は最表面の砂利層、１はその直下の網目状シート、２１は網目状シートの下の砂利の層、４は最下層の防草シート等を示す。網目シート１は、不定形な庭の形状に合わせて成形されている。
【実施例５】
【００２９】
又、網目シートは、図３で説明したように、１５に示される不定形状に合わせて作られた金属製のまたはプラスチックの保持枠にその端部が固定されている。これによって、端部でのシートのそり上がりを防いでいる。保持枠１５は、設置場所全体を覆うだけに限らなくてもよい。図５のように、必要に応じて、ある大きさごとに区切った枠１６を作り、それらを組み合わせてもよい。
【実施例６】
【００３０】
図６は、植木鉢での実施例６を示す。３２は花３１の植えられている植木鉢であり、１３がその上の土面に設置されたシートを示す。図７は、植木鉢と、設置された網目シートの上面からの図である。図７に示すように、網目シート１３は、植木鉢の地面が露出している部分を、草花３１をよけて覆うように加工されており、杭の形をした固定手段５２等によって、地面に固定されている。このようにすれば、草花の植えられていない土の表面を、猫から防ぐことが出来る。
【図面の簡単な説明】
【００３１】
【図１】本発明による、猫の糞尿防止装置の配置（実施例１）を説明するための概略断面図である。
【図２】本発明の、網目シートを外枠に固定することを説明する部分斜視図である。実施例２。
【図３】本発明の、網目シートを地面に固定することを説明する部分斜視図である。実施例３。
【図４】本発明を砂利敷きの庭に実施した例（実施例４）を説明するための概略斜視図(a)と、設置される網目シートの概略上面図(b)である。
【図５】本発明を砂利敷きの庭に実施した別の例（実施例５）を説明するための概略斜視図(a)と、設置される網目シートの概略上面図(b)である。
【図６】本発明を植木鉢に実施した例（実施例６）を示す概略斜視図である。
【図７】本発明を植木鉢に実施した実施例６において、植木鉢の概略上面図(a)と、設置される網目シートの概略上面図(b)である。
【符号の説明】
【００３２】
１；１１；１２；１３  網目シート
１５；１６               固定枠
２；２１              砂利、砂、土
３１                  草花
３２                  植木鉢
４                    防草シート
５１；５２            固定手段としての杭
【図１】
2005080568.tif 000003
【図２】
2005080568.tif 000004
【図３】
2005080568.tif 000005
【図４】
2005080568.tif 000006
【図５】
2005080568.tif 000007
【図６】
2005080568.tif 000008
【図７】
2005080568.tif 000009